(57)【要約】【課題】  １ｂｉｔ量子化データの時分割多重を可能とすること。【解決手段】  複数の入力系統から入力されるアナログ信号またはディジタル信号を、それぞれ、ノンリターンゼロのディジタル信号に変換する複数の１ｂｉｔ量子化手段21-1〜21-ｎと、複数の１ｂｉｔ量子化手段からそれぞれ、出力される前記ディジタル信号をリターンゼロ信号に変換して出力する複数のリターンゼロ手段22-1〜22-nと、複数のリターンゼロ手段の出力信号を取り込み、パラレルシリアル変換するパラレルシリアル変換手段23と、パラレルシリアル変換手段の出力信号を無線信号として出力する送信手段24とを有する。【選択図】    図１
2005311847.tif 000002
【特許請求の範囲】
【請求項１】
送信側において、複数の入力系統から入力される音声もしくは音楽のアナログ信号または音声もしくは音楽をそれぞれ、ディジタル化したディジタル信号をノイズシェーピング方式で１ｂｉｔデータ列からなるノンリターンゼロのディジタル信号に変換し、
前記送信側において、変換された前記ディジタル信号の“１”に対してHighレベルを対応させるとともに“０”に対してLowレベルを対応させ、Highレベルのときはノンリターンゼロ信号のパルス幅よりも小さいパルス幅を持つリターンゼロ信号にして出力し、LowレベルのときはそのままLowレベルを出力し、かつ、各入力系統からシステムから出力される信号をパラレルシリアル変換してシリアルデータ列とすると共に、
前記送信側において、変換されたシリアルデータ列信号を無線信号として送信し、
受信側において、前記送信側からの前記無線信号を受信し、前記受信側において、受信された信号から得られるシリアルデータ列信号をシリアルパラレル変換し、複数の出力系統の信号に分離し、前記シリアルパラレル変換により得られる電気信号で、各出力系統において該電気信号を楽音信号に変換する楽音出力手段を駆動することを特徴とするデータ通信方法。
【請求項２】
複数の入力系統から入力される音声もしくは音楽のアナログ信号または音声もしくは音楽をディジタル化したディジタル信号を、それぞれ、ノイズシェーピング方式で１ｂｉｔデータ列からなるノンリターンゼロのディジタル信号に変換する複数の１ｂｉｔ量子化手段と、
前記複数の１ｂｉｔ量子化手段からそれぞれ、出力される前記ディジタル信号の“１”に対してHighレベルを対応させるとともに“０”に対してLowレベルを対応させ、Highレベルのときはノンリターンゼロ信号のパルス幅よりも小さいパルス幅を持つリターンゼロ信号にして出力し、LowレベルのときはそのままLowレベルを出力する複数のリターンゼロ手段と、
前記複数のリターンゼロ手段の出力信号を取り込み、パラレルシリアル変換するパラレルシリアル変換手段と、                                    
該パラレルシリアル変換手段の出力信号を無線信号として出力する無線送信手段と、
を有することを特徴とするデータ送信装置。
【請求項３】
送信側で複数の入力系統から入力された音声もしくは音楽のアナログ信号または音声もしくは音楽をディジタル化したディジタル信号を１ｂｉｔデータ列からなるディジタル信号に変換した信号であって、各入力信号について論理値“１”に対してノンリターンゼロ信号のパルス幅よりも小さいパルス幅のHighレベルが割り当てられるとともに論理値“０”に対してLowレベルが割り当てられたリターンゼロのパラレルシリアル変換されたディジタル信号を無線で受信する無線受信手段と、
前記無線受信手段により受信したシリアルデータ列をシリアルパラレル変換するシリアルパラレル変換手段と、
を有することを特徴とするデータ受信装置。
【請求項４】
複数の入力系統から入力される音声もしくは音楽のアナログ信号または音声もしくは音楽をディジタル化したディジタル信号を、それぞれ、ノイズシェーピング方式で１ｂｉｔデータ列からなるノンリターンゼロのディジタル信号に予め変換された１ｂｉｔ量子化済みの信号を複数の信号記憶手段に記憶する機能と
複数の記憶手段に記憶された、音声もしくは音楽のアナログ信号または音声もしくは音楽をディジタル化したディジタル信号に対してノイズシェーピング処理を行うことにより得られる複数系統の１ｂｉｔデータ列の各々のｂｉｔの間に”０”のデータをｐ個（ｐは自然数）挿入するゼロ挿入機能と、
前記“０”のデータが挿入された複数系統の１ｂｉｔデータ列を前記ノイズシェーピング処理で使用されるノイズシェーピング周波数の（ｐ＋１）倍の速度で無線送信手段に送出することで、Highレベルのパルス幅がノンリターンゼロ信号のHighレベルのパルス幅の｛１００／（ｐ＋１）｝％であるリターンゼロのディジタル信号を送信する送信機能と、
を有することを特徴とするデータ送信プログラム。
【請求項５】
アナログ信号を１ｂｉｔのディジタル信号に変換するノイズシェーピングA/D変換器等の１ｂｉｔ量子化手段、またはＰＣＭデータ等で入力されるアナログ信号のディジタルコード化信号を１ｂｉｔのディジタル信号に変換するノイズシェーピング量子化器等の１ｂｉｔ量子化手段をn個有し、各々に任意の音源または音源のディジタル化された信号が入力され、そのn個の１ｂｉｔ量子化手段の各出力をパラレルシリアル変換手段で１ｂｉｔ量子化手段の量子化速度のn倍の速度のシリアルデータとし、信号送信手段により前述シリアルデータを送信することを特徴とするデータ送信装置。
【請求項６】
請求項５に記載のデータ送信装置によって送信されたデータを受信および復調する受信手段により元のシリアルデータを再生した信号に対し、受信データの1／nの速度のクロックをクロック発生手段により発生し、このクロックを用いラッチ手段により定期的に任意のデータをラッチすることにより、送信側の入力系統における任意の１つ入力音源の量子化信号のみを前記ラッチ手段から出力することを特徴とするデータ受信装置。
【請求項７】
請求項５に記載のデータ送信装置によって送信されたデータを受信および復調し元のシリアルデータを再生したシリアル信号に対し、受信データの1／n の速度のクロックで立ち上がり時刻を１データ時間分づつずらしたn個のクロックを発生するクロック発生手段と、
ｎ個のラッチ手段とを有し、
前記クロック発生手段より供給される前記n個の各クロックが対応する前記ｎ個のラッチ手段の各々のクロック入力に入力され、各ラッチ手段は、受信したシリアル信号から前記クロックに基づいて送信元のｎ個の信号系列のうちのいずれかの信号系列を出力することを特徴とするデータ受信装置。
【請求項８】
１ｂｉｔ量子化されたアナログ信号をノイズシェーピングA/D変換器等の１ｂｉｔ量子化手段で１ｂｉｔ量子化したデータ、またはPCMデータ等で入力されるアナログ信号のディジタルコード化信号をノイズシェーピング量子化器等の１ｂｉｔ量子化手段で１ｂｉｔ量子化したデータを記憶しておき、各々の記憶手段から１ｂｉｔづつ取り出し、パラレルシリアル変換手段で１ｂｉｔ量子化手段の量子化速度のｎ倍の速度のシリアルデータとし、該シリアルデータを送信することを特徴とするデータ通信方法。
【請求項９】
前記パラレルシリアル変換手段の入力の１つ、又は複数の入力に対し、機器制御や他の入力のデータ状態を知らせるためのディジタルデータを入力することを特徴とする請求項８に記載のデータ通信方法。
【発明の詳細な説明】
【技術分野】
【０００１】
本発明は、１ｂｉｔ量子化されたデータ伝送を多チャンネルで伝送データ通信方法、データ送信装置およびデータ受信装置、ならびにデータ送信プログラムに関する。
【背景技術】
【０００２】
ノイズシェーピング回路でアナログ信号を量子化し、従来のPCMではなく量子化された１ｂｉｔデータのまま伝送し、受信側で再生する手法が提案されている（例えば、特許文献１参照）。
図１０は、特許文献１に記載のデータ通信装置の構成図である。同図において、音声のアナログ信号１１をデルタシグマ変調により１ｂｉｔのディジタル信号に変換する１ｂｉｔ化量子化手段１２と、この１ｂｉｔのディジタル信号により何らかの変調をかけた光を空中に放出する１ｂｉｔ送信手段１３と、空中に放出された光を受信し復調し、もとの１ｂｉｔのディジタル信号を得る１ｂｉｔ受信手段１４と、この１ｂｉｔのディジタル信号によりスピーカ１６を駆動するスピーカ駆動手段１５と、スピーカ１６から構成される。
【０００３】
音声が空気の疎密波として空中を伝わるように、１ｂｉｔ量子化手段の出力は音声等のアナログ信号をパルス疎密波に変換する。このパルス列は、通常のシリアルデータ列であるが、数ｂｉｔでひとまとまりのデータとしてシリアルに展開されているのではなく、一つ一つのデータが独立したデータになっている。このためひとまとまりのデータの先頭位置を示す同期データの付加は不必要となり、さらに１ｂｉｔ量子化手段の出力はもともと１ｂｉｔなのでパラレルシリアル変換手段も不必要となる。
【０００４】
従って、受信側の同期パターンによる同期抽出も不要になる。このため、データの演算処理が不要となり、データを取込むためのクロック再生も不要になる。さらに、受信したデータ列はパルスの疎密波としての波形を有しているため、この波形のまま低インピーダンスドライバー等のスピーカ駆動手段によりスピーカを駆動することによって、そのまま音声として再生できる。
【０００５】
このように、１ｂｉｔ量子化を行い、これを１ｂｉｔのディジタル信号により何らかの変調をかけた光を空中に放出し、これを受信し、復調し、もとの１ｂｉｔのディジタル信号を得、このディジタル信号でスピーカを駆動することにより、送信側および受信側ともに図１に示すような非常に簡単な回路で構成可能となる。このように、文献記載の装置は音声のディジタル通信に１ｂｉｔ量子化による１ｂｉｔデータ列を用いることにより、大規模な高性能特性を要求される同期再生手段とＤ／Ａ変換手段とを不要とすることが特徴とする。
【０００６】
しかし、上記構成のままでは多波表を受光するための受光素子が必要であり、また、１つの波長の光では１つの音声情報しか送信できなかった。即ち、多数のチャンネルの情報を１つの周波数の電波または光で伝送することはできなかった。
【特許文献１】特開平０８−０３７５０２号公報
【発明の開示】
【発明が解決しようとする課題】
【０００７】
本発明は、このような事情に鑑みてなされたものであり、１ｂｉｔ量子化データの時分割多重を可能とするデータ通信方法、データ送信装置およびデータ受信装置、ならびにデータ送信プログラムを提供することを特徴とする。
【課題を解決するための手段】
【０００８】
上記目的を達成するために請求項１に記載の発明は、送信側において、複数の入力系統から入力される音声もしくは音楽のアナログ信号または音声もしくは音楽をそれぞれ、ディジタル化したディジタル信号をノイズシェーピング方式で１ｂｉｔデータ列からなるノンリターンゼロのディジタル信号に変換し、前記送信側において、変換された前記ディジタル信号の“１”に対してHighレベルを対応させるとともに“０”に対してLowレベルを対応させ、Highレベルのときはノンリターンゼロ信号のパルス幅よりも小さいパルス幅を持つリターンゼロ信号にして出力し、LowレベルのときはそのままLowレベルを出力し、かつ、各入力系統からシステムから出力される信号をパラレルシリアル変換してシリアルデータ列とすると共に、前記送信側において、変換されたシリアルデータ列信号を無線信号として送信し、受信側において、前記送信側からの前記無線信号を受信し、前記受信側において、受信された信号から得られるシリアルデータ列信号をシリアルパラレル変換し、複数の出力系統の信号に分離し、前記シリアルパラレル変換により得られる電気信号で、各出力系統において該電気信号を楽音信号に変換する楽音出力手段を駆動することを特徴とする。
【０００９】
また、請求項２に記載の発明は、複数の入力系統から入力される音声もしくは音楽のアナログ信号または音声もしくは音楽をディジタル化したディジタル信号を、それぞれ、ノイズシェーピング方式で１ｂｉｔデータ列からなるノンリターンゼロのディジタル信号に変換する複数の１ｂｉｔ量子化手段と、前記複数の１ｂｉｔ量子化手段からそれぞれ、出力される前記ディジタル信号の“１”に対してHighレベルを対応させるとともに“０”に対してLowレベルを対応させ、Highレベルのときはノンリターンゼロ信号のパルス幅よりも小さいパルス幅を持つリターンゼロ信号にして出力し、LowレベルのときはそのままLowレベルを出力する複数のリターンゼロ手段と、前記複数のリターンゼロ手段の出力信号を取り込み、パラレルシリアル変換するパラレルシリアル変換手段と、該パラレルシリアル変換手段の出力信号を無線信号として出力する無線送信手段とを有することを特徴とする。
【００１０】
また、請求項３に記載の発明は、送信側で複数の入力系統から入力された音声もしくは音楽のアナログ信号または音声もしくは音楽をディジタル化したディジタル信号を１ｂｉｔデータ列からなるディジタル信号に変換した信号であって、各入力信号について論理値“１”に対してノンリターンゼロ信号のパルス幅よりも小さいパルス幅のHighレベルが割り当てられるとともに論理値“０”に対してLowレベルが割り当てられたリターンゼロのパラレルシリアル変換されたディジタル信号を無線で受信する無線受信手段と、前記無線受信手段により受信したシリアルデータ列をシリアルパラレル変換するシリアルパラレル変換手段とを有することを特徴とする。
【００１１】
また、請求項４に記載の発明は、複数の入力系統から入力される音声もしくは音楽のアナログ信号または音声もしくは音楽をディジタル化したディジタル信号を、それぞれ、ノイズシェーピング方式で１ｂｉｔデータ列からなるノンリターンゼロのディジタル信号に予め変換された１ｂｉｔ量子化済みの信号を複数の信号記憶手段に記憶する機能と、複数の記憶手段に記憶された、音声もしくは音楽のアナログ信号または音声もしくは音楽をディジタル化したディジタル信号に対してノイズシェーピング処理を行うことにより得られる複数系統の１ｂｉｔデータ列の各々のｂｉｔの間に”０”のデータをｐ個（ｐは自然数）挿入するゼロ挿入機能と、前記“０”のデータが挿入された複数系統の１ｂｉｔデータ列を前記ノイズシェーピング処理で使用されるノイズシェーピング周波数の（ｐ＋１）倍の速度で無線送信手段に送出することで、Highレベルのパルス幅がノンリターンゼロ信号のHighレベルのパルス幅の｛１００／（ｐ＋１）｝％であるリターンゼロのディジタル信号を送信する送信機能とを有することを特徴とする。
【００１２】
また、請求項５に記載の発明は、アナログ信号を１ｂｉｔのディジタル信号に変換するノイズシェーピングＡ／Ｄ変換器等の１ｂｉｔ量子化手段、またはＰＣＭデータ等で入力されるアナログ信号のディジタルコード化信号を１ｂｉｔのディジタル信号に変換するノイズシェーピング量子化器等の１ｂｉｔ量子化手段をn個有し、各々に任意の音源または音源のディジタル化された信号が入力され、そのn個の１ｂｉｔ量子化手段の各出力をパラレルシリアル変換手段で１ｂｉｔ量子化手段の量子化速度のn倍の速度のシリアルデータとし、信号送信手段により前述シリアルデータを送信することを特徴とする。
【００１３】
また、請求項６に記載の発明は、請求項５に記載のデータ送信装置によって送信されたデータを受信および復調する受信手段により元のシリアルデータを再生した信号に対し、受信データの1／nの速度のクロックを発生するクロック発生手段と、このクロックを用いラッチ手段により定期的に任意のデータをラッチすることにより、送信側の入力系統における任意の１つ入力音源の量子化信号のみを前記ラッチ手段から出力することを特徴とする。
【００１４】
また、請求項７に記載の発明は、請求項５に記載のデータ送信装置によって送信されたデータを受信および復調し元のシリアルデータを再生したシリアル信号に対し、受信データの1／n の速度のクロックで立ち上がり時刻を１データ時間分づつずらしたn個のクロックを発生するクロック発生手段と、ｎ個のラッチ手段とを有し、前記クロック発生手段より供給される前記n個の各クロックが対応する前記ｎ個のラッチ手段の各々のクロック入力に入力され、各ラッチ手段は、受信したシリアル信号から前記クロックに基づいて送信元のｎ個の信号系列のうちのいずれかの信号系列を出力することを特徴とする。
【００１５】
また、請求項８に記載の発明は、１ｂｉｔ量子化されたアナログ信号をノイズシェーピングＡ／Ｄ変換器等の１ｂｉｔ量子化手段で１ｂｉｔ量子化したデータ、またはＰＣＭデータ等で入力されるアナログ信号のディジタルコード化信号をノイズシェーピング量子化器等の１ｂｉｔ量子化手段で１ｂｉｔ量子化したデータを記憶しておき、各々の記憶手段から１ｂｉｔづつ取り出し、パラレルシリアル変換手段で１ｂｉｔ量子化手段の量子化速度のｎ倍の速度のシリアルデータとし、該シリアルデータを送信することを特徴とする。
【００１６】
また、請求項９に記載の発明は、請求項８に記載のデータ通信方法において、前記パラレルシリアル変換手段の入力の１つ、又は複数の入力に対し、機器制御や他の入力のデータ状態を知らせるためのディジタルデータを入力することを特徴とする。
【発明の効果】
【００１７】
以上説明したように、従来の１ｂｉｔ量子化を用いたシステムでは多チャンネルの伝送にはチャンネル数に対応する数の受信器（回路）が必要であったが、本発明によれば、多チャンネル化を１つの受信器で対応することが可能となる。
これにより、例えば美術館等で絵画の解説等を１ｂｉｔ量子化を用いて伝送しようとした場合、日本語だけではなく、英語、中国語等の各種言語の解説を放送し、受信側で好みの言語で解説を聞くといったサービスを簡便なシステムで提供できるというという効果が得られる。
【発明を実施するための最良の形態】
【００１８】
以下、本発明の実施形態を、図面を参照して詳細に説明する。
本発明の第１実施形態に係るデータ送信装置の構成を図１に示す。同図において、第１実施形態に係るデータ送信装置は、複数の入力系統から入力される音声もしくは音楽のアナログ信号または音声もしくは音楽をディジタル化したディジタル信号を、それぞれ、ノイズシェーピング方式で１ｂｉｔデータ列からなるノンリターンゼロのディジタル信号に変換する複数の１ｂｉｔ量子化手段２１−１〜２１−ｎと、複数の１ｂｉｔ量子化手段１ｂｉｔ量子化手段２１−１〜２１−ｎからそれぞれ、出力される前記ディジタル信号の“１”に対してHighレベルを対応させるとともに“０”に対してLowレベルを対応させ、Highレベルのときはノンリターンゼロ信号のパルス幅よりも小さいパルス幅を持つリターンゼロ信号にして出力し、LowレベルのときはそのままLowレベルを出力する複数のリターンゼロ手段２２−１〜２２−ｎと、前記複数のリターンゼロ手段２２−１〜２２−ｎの出力信号を取り込み、パラレルシリアル変換するパラレルシリアル変換手段２３と、該パラレルシリアル変換手段２３の出力信号を無線信号として出力する送信手段（無線送信手段）２３とを有している。
【００１９】
上記構成において、ｎ個の１ｂｉｔ量子化手段２１−１〜２１−ｎを用い、それぞれの入力に音声等のアナログ信号またはアナログ信号を２進コード化（ＰＣＭ化）したデータを入力する。具体的には、入力が２進コード化したデータのときの１ｂｉｔ量子化手段は、ノイズシェーピングＡ／Ｄ変換器により構成され、入力が２進コード化したデータのときの１ｂｉｔ量子化手段は、ノイズシェーピング処理を論理回路で行う１ｂｉｔ量子化器である。このｎ個の１ｂｉｔ量子化手段の出力をＤ11〜Ｄn1とする。
【００２０】
この出力Ｄ11〜Ｄn1をｎ個のリターンゼロ手段２２−１〜２２−ｎにより複数の１ｂｉｔ量子化手段からそれぞれ、出力される前記ディジタル信号の“１”に対してHighレベルを対応させるとともに“０”に対してLowレベルを対応させ、Highレベルのときはノンリターンゼロ信号のパルス幅よりも小さいパルス幅を持つリターンゼロ信号にして出力し、LowレベルのときはそのままLowレベルを出力する。
【００２１】
ｎ個のリターンゼロ手段２２−１〜２２−ｎの出力信号は、パラレルシリアル変換手段２３に入力され、これらのリターンゼロ信号の１ｂｉｔデータを時系列に並べたシリアル出力を得て、送信手段２３は、シリアル出力を電波・光・赤外線・磁界等を物理的信号として送信する。磁界を用いる場合は送信手段２４としてはコイルを、受信手段としては磁気センサを用いることができる。
【００２２】
図３はパラレルシリアル変換手段の入出力の関係を図示したものである。１ｂｉｔ量子化手段２１−１からはD11,D12,〜D1mのようにデータが出力され、１ｂｉｔ量子化手段２１−２からはD21,D22,D2mのようにデータが出力され、１ｂｉｔ量子化手段２１−ｎからはからはDn1,Dn2,〜Dnmのようにデータが出力される。このデータ列をパラレルシリアル変換手段２３に入力する。
【００２３】
パラレルシリアル変換手段２３は入力の１データ分の時間をｎ分割し１データ分の時間内に入力のD11からDn1までのデータを順番に挿入して出力とする。
これより図３の下部に示すようなシリアルデータ列を作成する。
図２は、本発明の第１実施形態に係るデータ送信装置の変形例であり、リターンゼロ手段をパラレルシリアル変換手段２３と送信手段２４との間に設けたものであり、このように構成しても図１に示したデータ送信装置と同様の効果が得られる。
【００２４】
本発明の第１実施形態に係るデータ受信装置の構成を図４に示す。本発明の第１実施形態に係るデータ受信装置は受信手段４１と、タッチ手段４２と、クロック発生手段４３とを有している。同図において、本実施形態に係るデータ受信装置は、本発明の第１実施例に係るデータ送信装置で送信された信号を受信する受信手段４１の出力をラッチ手段４２とクロック発生手段４３とに入力し、クロック発生手段４３から出力されたクロックをラッチ手段４２のクロック入力とし、受信手段４１からラッチ手段４２に入力されたシリアル信号の一部を定期的にラッチし出力するものである。
【００２５】
図５、はクロック発生手段４３のクロック出力とラッチ手段４２の入出力の関係を簡単に図示したものであり、図２のように送信側でｎ個の入力がある場合、受信側では受信信号から当該受信信号に同期したクロックを発生し、そのｎ分周したクロックをクロック発生手段４３の出力とする。このクロックの立ち上がりを例えばD11にあわせたとするとラッチ手段からはD11,D12,〜D1nのように図２の量子化手段211出力のみを取り出すことができる。
【００２６】
本発明第１実施形態に係るデータ送信装置および第１実施形態に係るデータ受信装置を用いると、同時にｎ個の１ｂｉｔ量子化手段の出力を送信でき、かつ受信側では１個の１ｂｉｔ量子化手段の出力のみを取り出すことが可能になる。
このように本発明を用いると従来技術ではできなかった複数のチャンネルの信号を多重化して送信でき、かつ受信側では１つのチャンネルの信号を選択的に再生できることができる。
【００２７】
図６は本発明の第２実施形態に係るデータ受信装置の構成を表す図である。本発明の第１実施形態に係るデータ送信手段を用いて送信された信号を受信する受信手段４１の出力をｎ個のラッチ手段６２−１〜６２−ｎとクロック発生手段６３に入力する。クロック発生手段６３は、図４のクロック発生手段４３と同様に、入力信号をｎ分周したクロックを出力する。
【００２８】
クロック発生手段６３はｎ分周したクロックをｎ本発生し、そのクロック同士の位相は入力信号の１データ分だけずれているように設定されている。このクロックをクロック１〜クロックｎとし、各々のラッチ手段６２−１〜６２−ｎのクロック入力に入力する。これによりラッチ手段６２−１〜６２−ｎの出力には図２の１ｂｉｔ量子化手段２１−１〜２１−ｎの出力信号を対応させて出力することができる。
【００２９】
図７は図５と同様に受信手段出力とクロック１〜クロックｎおよびラッチ手段の出力関係を表したものであり各ラッチ手段６２−１〜６２−ｎの出力が１ｂｉｔ量子化手段２１−１〜２１−ｎの出力信号と同様になることが分かる。
【００３０】
図８は本発明の第３実施形態に係るデータ送信装置の構成例であり、この構成例では、入力信号を１ｂｉｔ量子化する代わりに、１ｂｉｔ量子化済みの信号を記憶手段８１−１〜８１−ｎに記憶して、１ｂｉｔづつ出力するようにしたものである。
このように構成することにより本発明の第１実施形態に係るデータ送信装置と同様の効果が得られるものである。
【００３１】
本発明を用いると１ｂｉｔ量子化をソフトウェアで行い、処理した結果をメモリ等に記憶すればよく１ｂｉｔ量子化手段をハードウェアとして持つ必要がなくなり機器構成が簡単となる。
また、記憶手段８１−１〜８１−ｎに記憶されるのは１ｂｉｔ量子化されたデータであるため全体のデータを一塊にしてサーバ等へ記憶しておけばLAN等の通信回路を通しての記憶手段への取込みも可能になる。またこの時、記憶手段に記憶されているデータの先頭または最後あるいは両方に、ある定まったデータを付加しておけば各データの先頭および最後を規定することのでき、記憶手段に記憶されている情報へのIDの付加やデータ終了を受信機に通知することができる。
また、記憶手段の中に記憶されているデータの途中に音声情報の種類や状態を知らせるデータを付加することも可能である。
【００３２】
図９は本発明の第４実施形態に係るデータ送信装置の要部の構成を示しており、同図に示すように、パラレルシリアル変換手段２３の１つの入力、または幾つかの入力に対し、機器制御や他の入力のデータ状態を知らせるためのディジタルデータを入力するようにしたことを特徴とするものである。この制御信号に定まったｂｉｔ列のプリアンブル（固定ヘッダ）を挿入すると、受信側ではこのプリアンブルを検出することにより、制御信号入力のチャンネルを基に他のチャンネルをラッチするタイミングを特定可能であり、本発明の第２実施形態に係るデータ受信装置と併用することにより特定のチャンネルの通信のみが可能となる。
【００３３】
なお、図８におけるデータ送信装置の機能を実現するためのデータ送信プログラムをコンピュータ読み取り可能な記録媒体に記録して、この記録媒体に記録された上記プログラムをコンピュータシステムに読み込ませ、実行することによりデータ伝送を行ってもよい。
【００３４】
このデータ送信プログラムは、複数の入力系統から入力される音声もしくは音楽のアナログ信号または音声もしくは音楽をディジタル化したディジタル信号を、それぞれ、ノイズシェーピング方式で１ｂｉｔデータ列からなるノンリターンゼロのディジタル信号に予め変換された１ｂｉｔ量子化済みの信号を複数の信号記憶手段８１−１〜８１−ｎに記憶する機能と、複数の記憶手段８１−１〜８１−ｎに記憶された、音声もしくは音楽のアナログ信号または音声もしくは音楽をディジタル化したディジタル信号に対してノイズシェーピング処理を行うことにより得られる複数系統の１ｂｉｔデータ列の各々のｂｉｔの間に”０”のデータをｐ個（ｐは自然数）挿入するゼロ挿入機能と、前記“０”のデータが挿入された複数系統の１ｂｉｔデータ列を前記ノイズシェーピング処理で使用されるノイズシェーピング周波数の（ｐ＋１）倍の速度で無線送信手段に送出することで、Highレベルのパルス幅がノンリターンゼロ信号のHighレベルのパルス幅の｛１００／（ｐ＋１）｝％であるリターンゼロのディジタル信号を送信する送信機能とを有することを特徴としている。
【００３５】
なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００３６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３８】
【図１】本発明の第１実施形態に係るデータ送信装置の構成を示すブロック図。
【図２】本発明の第２実施形態に係るデータ送信装置の構成を示すブロック図。
【図３】本発明の第１、第２実施形態に係るデータ送信装置におけるパラレルシリアル変換手段の入出力関係を示す説明図。
【図４】本発明の第１実施形態に係るデータ受信装置の構成を示すブロック図。
【図５】図４に示した本発明の第１実施形態に係るデータ受信装置におけるラッチ手段の動作状態を示す説明図。
【図６】本発明の第２実施形態に係るデータ受信装置の構成を示すブロック図。
【図７】図４に示した本発明の第２実施形態に係るデータ受信装置におけるラッチ手段の動作状態を示す説明図。
【図８】本発明の第３実施形態に係るデータ送信装置の構成を示すブロック図。
【図９】本発明の第４実施形態に係るデータ送信装置の要部の構成を示すブロック図。
【図１０】従来の１ｂｉｔ量子化を用いたデータ通信システムの構成を示すブロック図。
【符号の説明】
【００３９】
２１−１〜２１−ｎ…１ｂｉｔ量子化手段
２２、２２−１〜２２−ｎ…リターンゼロ手段
２３…パラレルシリアル変換手段
２４…送信手段
４１…受信手段
４２、６２−１〜６２−ｎ…ラッチ手段
４３、６３…クロック発生手段
【図１】
2005311847.tif 000003
【図２】
2005311847.tif 000004
【図３】
2005311847.tif 000005
【図４】
2005311847.tif 000006
【図５】
2005311847.tif 000007
【図６】
2005311847.tif 000008
【図７】
2005311847.tif 000009
【図８】
2005311847.tif 000010
【図９】
2005311847.tif 000011
【図１０】
2005311847.tif 000012